(57)【要約】      （修正有）【課題】産婦の帝王切開部を保護するに当り、産婦を不快にしない帝王切開部保護パッドを提供する。【解決手段】産婦の腹部と産じょくショーツの前部の間に配置して産婦の帝王切開部を保護するパッドである。産婦の腹部に当てる保護パッド部１と、保護パッド部１を産じょくショーツの前部３１に留める留め部１１、１２からなる。産婦の帝王切開部ｃを被覆する保護パッド部１を産婦の帝王切開部被覆位置に保持する構成にしている。保護パッド部１は、クッション性があるものにしている。留め部１１，１２は、紐にしている。紐は、産じょくショーツの前部３１の前側を上下方向に横断する位の長さにし、一端を保護パッド部１の下部又は上端部に固定し、他端を保護パッド部１の上端部又は下部に着脱可能にしている。【選択図】図９
0003186521.tif 000002
【実用新案登録請求の範囲】
【請求項１】
産婦の腹部と産じょくショーツの前部の間に配置して産婦の帝王切開部を保護するパッドであり、
産婦の腹部に当てる保護パッド部と、保護パッド部を産じょくショーツの前部に留める留め部からなり、
産婦の帝王切開部を被覆する保護パッド部を産婦の帝王切開部被覆位置に保持する構成にしていることを特徴とする帝王切開部保護パッド。
【請求項２】
保護パッド部は、クッション性があるものにしていることを特徴とする請求項１に記載の帝王切開部保護パッド。
【請求項３】
保護パッド部は、キルティング又は発泡合成樹脂のクッション板にしていることを特徴とする請求項１又は２に記載の帝王切開部保護パッド。
【請求項４】
保護パッド部は、下部の左縁と右縁を、それぞれ、産婦の腹部と左脚、右脚の境に沿う斜めにしていることを特徴とする請求項１、２又は３に記載の帝王切開部保護パッド。
【請求項５】
保護パッド部は、下部の左縁と右縁がそれぞれ産婦の腹部と左脚、右脚の境付近に位置する一方、上端部が産じょくショーツ前部の上側に出る位の上下方向長さにしていることを特徴とする請求項１〜４のいずれかに記載の帝王切開部保護パッド。
【請求項６】
留め部は、紐にし、
紐は、産じょくショーツ前部の前側を上下方向に横断する位の長さにし、一端を保護パッド部の下部又は上端部に固定し、他端を保護パッド部の上端部又は下部に着脱可能にし、
保護パッド部を産じょくショーツの前部に留めるときには、保護パッド部は産じょくショーツの前部の後側、裏側に配置し、紐は産じょくショーツの前部の前側を上下方向に横断させて、紐の着脱可能な端を保護パッド部に留め、紐と保護パッド部との間に産じょくショーツの前部を挟む構成にしていることを特徴とする請求項１〜５のいずれかに記載の帝王切開部保護パッド。
【請求項７】
紐は、保護パッド部の左側と右側に設け、左側の紐と右側の紐は１本ずつ又は２本ずつにしていることを特徴とする請求項６に記載の帝王切開部保護パッド。
【請求項８】
産じょくショーツは、三方開きショーツ又は前開きショーツであることを特徴とする請求項１〜７のいずれかに記載の帝王切開部保護パッド。
【考案の詳細な説明】
【技術分野】
【０００１】
本考案は、産婦の帝王切開部を保護する技術に関する。
【背景技術】
【０００２】
産婦が帝王切開で出産したときには、縦切り又は横切りの帝王切開の縫合創の部分、帝王切開部を保護するため、腹部の帝王切開部を含む部分にドレッシングフイルムを貼り付け、ドレッシングフイルムで帝王切開部を被覆する。そして、産婦に腹帯を巻き付け、腹帯の前部でドレッシングフイルムを覆う。次に、産婦に産じょくショーツを穿かせ、産じょくショーツで腹帯を覆う。
【０００３】
帝王切開で出産した産婦は、ドレッシングフイルム、腹帯と産じょくショーツを順次付けることになる。腹部の帝王切開部には、ドレッシングフイルム、腹帯の前部と産じょくショーツの前身頃、前部が重なる。
【先行技術文献】
【特許文献】
【０００４】
【特許文献１】登録実用新案第３０１９３３１号公報
【考案の概要】
【考案が解決しようとする課題】
【０００５】
［課  題］
産婦が、上記のように、腹部と産じょくショーツの間に腹帯を付けているときに、腹帯がずれることがある。産婦に巻き付けた腹帯は、後部が産婦の臀部の上部、即ち、後方に円弧状に突出した臀部の上側斜面に重なる。腹帯の後部は、その斜面を滑り易い。上側にずれ易い。
また、産婦は、上向き又は横向きに寝ているときに、背面又は側面、床側になっている側で、腹帯による圧迫感を感ずることがある。産婦が腹帯を巻き付けた状態で上向き又は横向きに寝ると、腹帯の後部又は側部、床側部分が産婦と床に挟まれ、腹帯の床側部分が産婦を圧迫することなる。
また、産婦は、腹帯の後部又は側部で覆われた部分、背面又は左右の側面が蒸れることがある。
【０００６】
即ち、このような腹帯に起因する課題を解決することが望まれる。産婦の帝王切開部を保護するに当り、産婦が不快にならないことが望まれる。
【０００７】
［着  想］
１．腹帯は、前部が産婦の帝王切開部をドレッシングフイルムを介して被覆して帝王切開部を保護する役割をしている。その他の部分、後部と左右の側部が前部を帝王切開部被覆位置に保持する役割をしている。また、腹帯は、外周りに産じょくショーツが重なっている。
そこで、産婦に巻き付ける腹帯に替えて、産婦の腹部に当てる保護パッド、産婦の帝王切開部を被覆して保護するパッドを用いることにした。保護パッドは、腹帯の前部と同様に、産婦の腹部と産じょくショーツの前身頃、前部の間に配置する。そして、保護パッドは、その前側に位置する産じょくショーツの前部に留めて帝王切開部被覆位置に保持することにした。
【０００８】
即ち、帝王切開部保護パッドは、産婦の腹部に当てる保護パッド部と、保護パッド部を産じょくショーツの前部に留める留め部からなり、産婦の帝王切開部を被覆する保護パッド部を産婦の帝王切開部被覆位置に保持する構成にする。
【０００９】
帝王切開部保護パッドは、上側にずれ難い。産婦が上向き又は横向きに寝ても、産婦を圧迫しない。産婦の背面又は左右の側面の蒸れの原因にならない。産婦の帝王切開部を保護するに当り、産婦が不快にならない。
【００１０】
２．帝王切開部保護パッドの好適な具体的構成は、次の通りである。
2.1  保護パッド部
保護パッド部は、クッション性のある素材、構成にする。一例は、二枚の布の間に綿や羽毛などのクッション材を挟んで縫い付けたキルティングである。他の例は、発泡合成樹脂のクッション板である。
また、保護パッド部は、産婦の腹部の帝王切開部を含む部分を覆うのに適した形状寸法にする。好適な例では、下部は、逆台形状やＶ形状にし、下部の左縁と右縁を、それぞれ、産婦の腹部と左脚、右脚の境に沿う斜めにする。上下方向の高さは、下部の左縁と右縁がそれぞれ産婦の腹部と左脚、右脚の境付近に位置する一方、上端部が産じょくショーツの前部の上側に出る位の長さにする。
【００１１】
2.2  留め部
留め部は、紐にする。一例は、布の紐である。他の例は、合成樹脂の紐である。
紐は、産じょくショーツ前部の前側を上下方向に横断する位の長さにし、一端を保護パッド部の下部に固定し、他端を保護パッド部の上端部に着脱可能にする。又は、一端を保護パッド部の上端部に固定し、他端を保護パッド部の下部に着脱可能にする。
また、紐は、保護パッド部の左側と右側に設ける。左側の紐と右側の紐は、１本ずつにする。又は、２本ずつにする。
【００１２】
保護パッド部を産じょくショーツの前部に留めるときには、保護パッド部は、産じょくショーツの前部の後側、裏側に配置する。留め部の紐は、産じょくショーツの前部の前側を上下方向に横断させて、着脱可能な端を保護パッド部に留める。紐と保護パッド部との間に産じょくショーツの前部を挟む。産じょくショーツは、保護パッド部を留めるための改造を要しない。
なお、留め部は、紐に限定されない。クリップやその他の留め具も用いられる。
【００１３】
2.3  産じょくショーツ
産じょくショーツは、典型例が三方開きショーツや前開きショーツである。三方開きショーツは、前部が左右と前方の三方に開き、産婦が寝たままでも着脱可能である。前開きショーツは、股部が前下方に開き、お産用吸収パッドの着脱が容易である。
帝王切開部保護パッドは、三方開きショーツにも、前開きショーツにも用いる。その他の産じょくショーツにも用いる。
【課題を解決するための手段】
【００１４】
１．産婦の腹部と産じょくショーツの前部の間に配置して産婦の帝王切開部を保護するパッドであり、
産婦の腹部に当てる保護パッド部と、保護パッド部を産じょくショーツの前部に留める留め部からなり、
産婦の帝王切開部を被覆する保護パッド部を産婦の帝王切開部被覆位置に保持する構成にしていることを特徴とする帝王切開部保護パッド。
２．上記１の帝王切開部保護パッドにおいて、
保護パッド部は、クッション性があるものにしていることを特徴とする。
３．上記１又は２の帝王切開部保護パッドにおいて、
保護パッド部は、キルティング又は発泡合成樹脂のクッション板にしていることを特徴とする。
４．上記１、２又は３の帝王切開部保護パッドにおいて、
保護パッド部は、下部の左縁と右縁を、それぞれ、産婦の腹部と左脚、右脚の境に沿う斜めにしていることを特徴とする。
５．上記１〜４のいずれかの帝王切開部保護パッドにおいて、
保護パッド部は、下部の左縁と右縁がそれぞれ産婦の腹部と左脚、右脚の境付近に位置する一方、上端部が産じょくショーツ前部の上側に出る位の上下方向長さにしていることを特徴とする。
６．上記１〜５のいずれかの帝王切開部保護パッドにおいて、
留め部は、紐にし、
紐は、産じょくショーツ前部の前側を上下方向に横断する位の長さにし、一端を保護パッド部の下部又は上端部に固定し、他端を保護パッド部の上端部又は下部に着脱可能にし、
保護パッド部を産じょくショーツの前部に留めるときには、保護パッド部は産じょくショーツの前部の後側、裏側に配置し、紐は産じょくショーツの前部の前側を上下方向に横断させて、紐の着脱可能な端を保護パッド部に留め、紐と保護パッド部との間に産じょくショーツの前部を挟む構成にしていることを特徴とする。
７．上記６の帝王切開部保護パッドにおいて、
紐は、保護パッド部の左側と右側に設け、左側の紐と右側の紐は１本ずつ又は２本ずつにしていることを特徴とする。
８．上記１〜７のいずれかの帝王切開部保護パッドにおいて、
産じょくショーツは、三方開きショーツ又は前開きショーツであることを特徴とする。
【考案の効果】
【００１５】
産婦の帝王切開部を保護するに当り、産婦が不快にならない。
【図面の簡単な説明】
【００１６】
【図１】本考案の実施形態における帝王切開部保護パッドの正面図。
【図２】図１のＡ−Ａ線断面の中間省略拡大図。
【図３】同帝王切開部保護パッドの背面図。
【図４】産婦の腹部の正面図で、縦切りの帝王切開部にドレッシングフイルムを貼った状態を示す図。
【図５】産婦の腹部の正面図で、横切りの帝王切開部にドレッシングフイルムを貼った状態を示す図。
【図６】産婦の腹部の正面図で、同帝王切開部保護パッドを三方開きショーツに付ける途中を示す図。
【図７】産婦の腹部の正面図で、同帝王切開部保護パッドを三方開きショーツに付けた状態を示す図。
【図８】同帝王切開部保護パッドを前開きショーツに付けた状態を示す正面図。
【図９】同帝王切開部保護パッド付き前開きショーツを産婦が穿いた状態を示す正面図。
【考案を実施するための形態】
【００１７】
実施形態の帝王切開部保護パッドは、形状、構造を図１〜図３に示す。産婦の縦切りの帝王切開部にドレッシングフイルムを貼った状態は、図４に示す。産婦の横切りの帝王切開部にドレッシングフイルムを貼った状態は、図５に示す。帝王切開部保護パッドを産じょくショーツの三方開きショーツに付ける例は、図６と図７に示す。帝王切開部保護パッドを産じょくショーツの前開きショーツに付ける例は、図８と図９に示す。
【００１８】
帝王切開部保護パッドは、図１〜図３に示すように、保護パッド部１と留め部１１、１２からなる。保護パッド部１は、クッション性のあるキルティングにしている。留め部１１、１２は、紐１１、１２にし、保護パッド部１の左側と右側に設けている。左側の紐１１と右側の紐１２は、１本ずつにしている。
【００１９】
保護パッド部１のキルティングは、表布２と裏布３の間に中綿４を挟んで三層の積層体にし、積層体２、３、４を糸で縫い付けている。積層体２、３、４の周辺部は、布テープ５を被せて糸で縫い付けている。表布２は、表面を起毛して雌型の面ファスナにしている。留め部の左右の紐１１、１２は、布の紐にしている。帯状の布を長手方向に沿って二つ折りにし、二つ折りの開口部を糸で縫い付けている。
【００２０】
保護パッド部１は、産婦の腹部の帝王切開部を含む部分を覆うのに適した形状寸法にしている。その形状寸法は、産婦の腹部の正面、前面より小さい八角形状にしている。保護パッド部１は、産婦の腹部前面を覆うが、産婦の背面や左右の側面を覆わない形状寸法にしている。
【００２１】
産婦の帝王切開部が縦切りの場合は、図４に示すように、縦切りの帝王切開部ｃに縦長のドレッシングフイルムｄを貼り、その上に保護パッド部１を重ねる。縦切りの帝王切開部ｃがドレッシングフイルムｄを介して保護パッド部１で覆われることになる。なお、図４中、ｎが産婦の臍、ｐが産婦の骨盤を示す。
【００２２】
産婦の帝王切開部が横切りの場合は、図５に示すように、横切りの帝王切開部ｃに横長のドレッシングフイルムｄを貼り、その上に保護パッド部１を重ねる。横切りの帝王切開部ｃがドレッシングフイルムｄを介して保護パッド部１で覆われることになる。なお、図５中、ｎが産婦の臍、ｐが産婦の骨盤を示す。
【００２３】
保護パッド部１の下部は、図１に示すように、逆台形状にしている。下部の左縁７と右縁８は、それぞれ、斜辺にし、産婦の腹部と左脚、右脚の境に沿う斜めにしている。保護パッド部１は、使用時に、左縁７と右縁８がそれぞれ産婦の腹部と左脚、右脚の境付近に配置する。保護パッド部１が産婦の左脚、右脚の動きを邪魔しない。また、保護パッド部１は、使用時に、左縁７と右縁８が産婦の腹部と左脚、右脚の境付近に位置する一方、上端部が産じょくショーツ前部の上側に出る位の上下方向長さにしている。
【００２４】
左右の紐１１、１２は、産じょくショーツの前部の前側を上下方向に斜め横断する位の長さにしている。両紐１１、１２は、保護パッド部１の表面側に上下方向斜めに配置している。左右の紐１１、１２の下端は、それぞれ、保護パッド部１の下部の左側、右側、詳細には、左縁７、右縁８の上端部に糸で縫い付けている。左右の紐１１、１２の上端は、それぞれ、図２に示すように、保護パッド部１側、裏側に折り返し部１３を設け、折り返し部１３の保護パッド部１側の面に雄型の面ファスナ１４を糸で縫い付けている。雄型の面ファスナ１４は、保護パッド部１表面の雌型の面ファスナ２に着脱可能にしている。
【００２５】
帝王切開部保護パッドを三方開きショーツに付けて使用する場合、三方開きショーツは、三方に開いた全開状態から順次閉鎖して産婦が穿いた状態にする。その途中で、帝王切開部保護パッドを付ける。
【００２６】
三方開きショーツは、全開状態にし、上向きに寝ている産婦の下に敷く。三方開きショーツの後身頃の上に産婦の臀部を載せる。次に、産婦の腹部に保護パッド部１を載せて保護パッド部１の裏面を産婦の腹部の前面に重ねる。保護パッド部１の下部の左縁７と右縁８は、それぞれ、産婦の腹部と左脚、右脚の境付近に配置する。保護パッド部１は、図６に示すように、下部で産婦の帝王切開部ｃをドレッシングフイルムｄを介して被覆する。
【００２７】
左右の紐１１、１２は、産婦の左脚、右脚側に待避させる。三方開きショーツは、産婦下の後身頃に連結した右側帯部２１を産婦の腹部上の保護パッド部１の表面に重ねる。後身頃に連結した左側帯部２２は、保護パッド部１上の右側帯部２１の表面に重ねる。右側帯部２１と左側帯部２２は、図示しない面ファスナで留める。すると、三方開きショーツの左右の帯部２１、２２は、積層状態で、保護パッド部１の中央部を左右方向に横断して被覆する。保護パッド部１の上端部は、覆わない。露出する。
【００２８】
次に、待避していた紐１１、１２は、それぞれ、積層状態の左右の帯部２１、２２の表面に重ね、積層状態の左右の帯部２１、２２の前側を下から上に斜め横断させる。そして、雄型面ファスナ１４は、保護パッド部１の上端部の雌型面ファスナ２に押し付ける。紐１１、１２の上端は、それぞれ、面ファスナ２、１４で保護パッド部１の上端部に留める。すると、図６に示すように、紐１１、１２と保護パッド部１の間に、積層状態の帯部２１、２２が挟まれる。保護パッド部１が積層状態の帯部２１、２２の裏側に留められる。
【００２９】
最後に、図７に示すように、三方開きショーツの股部に連結した前身頃２３は、積層状態の帯部２１、２２と紐１１、１２の表面に重ねる。積層状態の帯部２１、２２と前身頃２３の上部は、図示しない面ファスナで留める。すると、三方開きショーツは、前身頃２３の上部と積層状態の帯部２１、２２が積層し、閉鎖状態になる。閉鎖状態の三方開きショーツは、前部に帝王切開部保護パッドを付けた状態で産婦が穿いた状態になる。なお、三方開きショーツは、前身頃２３、左右の帯部２１、２２が前部を構成する。
【００３０】
三方開きショーツの前部の後側、裏側に保護パッド部１を配置する他の方法は、左右の帯部２１、２２を重ねて留めた後、積層状態の帯部２１、２２と産婦の腹部の間に保護パッド部１を差し込む。
【００３１】
帝王切開部保護パッドを前開きショーツに付けて使用する場合、前開きショーツは、産婦が穿く前に、帝王切開部保護パッドを付ける。産婦は、帝王切開部保護パッド付きの前開きショーツを穿く。
【００３２】
保護パッド部１は、図８に示すように、前開きショーツの前身頃、前部３１の後側、裏側に重ねて配置する。保護パッド部１の下部の左縁７と右縁８は、それぞれ、前開きショーツの左右の脚挿入孔３２の開口縁付近に配置する。保護パッド部１の上端部は、前開きショーツの前部３１の上側に出す。次に、左右の紐１１、１２は、それぞれ、前開きショーツの前部３１の下側、左右の脚挿入孔３２から前上側に引き出し、前開きショーツの前部３１の表面に重ね、前開きショーツの前部３１の前側を下から上に斜め横断させる。そして、雄型面ファスナ１４は、保護パッド部１の上端部の雌型面ファスナ２に押し付ける。紐１１、１２の上端は、それぞれ、面ファスナ２、１４で保護パッド部１の上端部に留める。すると、紐１１、１２と保護パッド部１の間に、前開きショーツの前部３１が挟まれる。保護パッド部１が前開きショーツの前部３１の裏側に留められる。
【００３３】
次に、帝王切開部保護パッド付きの前開きショーツは、図９に示すように、産婦が穿く。すると、保護パッド部１は、産婦の腹部の前面に当って重なる。保護パッド部１の下部の左縁７と右縁８は、それぞれ、産婦の腹部と左脚、右脚の境付近に位置する。保護パッド部１の下部が産婦の帝王切開部ｃをドレッシングフイルムｄを介して被覆する。
【００３４】
前開きショーツの前部３１の後側、裏側に保護パッド部１を配置する他の方法は、産婦が穿いた後に、産婦の腹部と前部３１の間に保護パッド部１を差し込む。
【００３５】
［変形例］
本考案は、上記の実施形態に限定されない。次のような変形が例示される。
１．上記の実施形態において、保護パッド部１の下部は、逆台形状にしているが、Ｖ形状、逆山形状、円弧形状又はその他の形状にする。
２．上記の実施形態において、保護パッド部１の上部は、台形状にしているが、円弧形状、山形状、長方形状又はその他の形状にする。
３．上記の実施形態において、紐１１、１２は、保護パッド部１の上下方向に対して斜めにしているが、平行にする。
４．上記の実施形態において、紐１１、１２は、下端を保護パッド部１の下部に固定して上端を保護パッド部１の上端部に面ファスナ１４で着脱可能にしているが、上端を保護パッド部１の上端部に固定して下端を保護パッド部１の下部に面ファスナで着脱可能にする。
【符号の説明】
【００３６】
ｃ  産婦の帝王切開部
ｄ  ドレッシングフイルム
ｎ  産婦の臍
ｐ  産婦の骨盤
１  帝王切開部保護パッドの保護パッド部
２  表布、雌型の面ファスナ
３  裏布
４  中綿
５  布テープ
７  保護パッド部の下部の左縁
８  保護パッド部の下部の右縁
１１、１２  帝王切開部保護パッドの留め部
１１  左側の紐
１２  右側の紐
１３  折り返し部
１４  雄型の面ファスナ
２１  三方開きショーツの右側帯部
２２  三方開きショーツの左側帯部
２３  三方開きショーツの前身頃
３１  前開きショーツの前身頃、前部
３２  前開きショーツの左右の脚挿入孔
【図１】
0003186521.tif 000003
【図２】
0003186521.tif 000004
【図３】
0003186521.tif 000005
【図４】
0003186521.tif 000006
【図５】
0003186521.tif 000007
【図６】
0003186521.tif 000008
【図７】
0003186521.tif 000009
【図８】
0003186521.tif 000010
【図９】
0003186521.tif 000011